(57)【要約】      （修正有）【課題】棚本体の転倒を防止しながら、全ての棚板の上面サイズを最下段のものと同一として、商品の総陳列面積を増大できる商品陳列棚を提供すること。【解決手段】背板に左右の側板を連結した棚本体と、その内部空間のうち、下部空間を除く部分に配置される複数段の棚板とを備えている。一対の側板は、少なくとも下端から最上段の棚板の取り付け位置までの幅が一定で、各棚板は上面サイズが全て同一で、下部空間には、少なくとも底部が一対の側板より前方へ突出した転倒防止体を着脱自在に嵌入した。【選択図】図１
0003170045.tif 000002
【実用新案登録請求の範囲】
【請求項１】
背板の幅方向の両端に一対の側板が連結された棚本体と、
該棚本体に取り付けられ、かつ該棚本体の内部空間のうち、下部空間を除く部分に配置されて商品を陳列する複数段の棚板とを備えた商品陳列棚において、
前記一対の側板は、少なくとも下端から最上段の前記棚板の取り付け位置までの幅が一定で、
前記複数段の棚板は、全ての上面サイズが同一で、
前記下部空間には、少なくとも底部が前記一対の側板より前方へ突出する転倒防止体を着脱自在に嵌入したことを特徴とする商品陳列棚。
【請求項２】
前記転倒防止体は、前面が法面となった折り畳み式のボックスである請求項１に記載の商品陳列棚。
【請求項３】
前記棚本体と前記複数段の棚板と前記転倒防止体とは、段ボールからなる請求項１または請求項２に記載の商品陳列棚。
【請求項４】
前記背板の上端部に、広告表示板を着脱自在に装着した請求項１〜請求項３のうち、何れか１行に記載の商品陳列棚。
【請求項５】
前記棚本体は、前記複数段の棚板のうち、少なくとも一つの棚板を含む上部が、前記棚本体の残り部分に着脱自在に構成されたものである請求項１〜請求項４のうち、何れか１項に記載の商品陳列棚。
【請求項６】
前記複数段の棚板は、前記棚本体に着脱自在に取り付けられた請求項１〜請求項５のうち、何れか１項に記載の商品陳列棚。
【請求項７】
転倒防止体が少なくとも後面が開口したボックスであり、棚本体の背板に係る前記転倒防止体の開口部に相対する部分が開口しているか、または該部分を開閉可能に構成したことにより、転倒防止体の内部へ備品の出し入れを可能とする備品収納部を備える、請求項１〜請求項６のうち、何れか１項に記載の商品陳列棚。
【考案の詳細な説明】
【技術分野】
【０００１】
本考案は、商品陳列棚、詳しくは商品を複数段の棚に陳列する組み立て式の商品陳列棚に関する。
【背景技術】
【０００２】
段ボールからなり、かつ商品を複数段の棚に陳列する組み立て式の商品陳列棚として、例えば特許文献１が知られている。
特許文献１の商品陳列棚は、板状の背面部（背板）と、背面部から連設された板状の右側側面部（右側板）と、背面部から連設された板状の左側側面部（左側板）と、右側側面部の下側部分と左側側面部の下側部分に連設された板状の正面部とを有し、正面部の高さ方向の長さが右側側面部の高さ方向の長さ及び左側側面部の高さ方向の長さよりも短く形成されて、正面部よりも上側位置に、背面部と右側側面部と左側側面部とにより囲まれた収納空間が形成された本体部（棚本体）と、本体部の収納空間に配置され、かつ本体部に取り付けられた複数段の棚部（棚板）とを備えたものである。
【０００３】
特許文献１の商品陳列棚では、このように棚部を本体部に取り付けるのみで商品陳列棚を組み立てることができ、組み立て工数が少なく容易に組み立てを行なうことができる。また、本体部は、背面部と右側側面部と左側側面部と正面部とで全体に筒状に形成されている。そのため、折り畳み可能で、棚部も折り畳み可能な構成とすることにより、棚部を本体部に取り付けた状態でそのまま折り畳むことができ、保管や運搬が容易となる。
【０００４】
しかしながら、特許文献１の商品陳列棚では、その重心を下げて商品陳列棚の設置安定性（転倒防止性）を高めるため、本体部を構成する左右の側側面部の正面部より上方（最下段の棚部より上方）の部分を、それぞれ先細りに形成していた。これにより、本体部の収納空間は上方へ向かって徐々に断面積が小さくなり、そこに配置される複数段の棚部も、上段になるほど商品の陳列面積（上面の表面積）が小さくなっていた。
【先行技術文献】
【特許文献】
【０００５】
【特許文献１】実用新案登録第３１０６８０７号公報
【考案の概要】
【考案が解決しようとする課題】
【０００６】
本考案は、上記問題点に鑑みてなされたもので、棚本体の転倒を防止しながら、全ての棚板の上面サイズを最下段のものと同一として、商品の総陳列面積を増大させることができる商品陳列棚を提供することを目的としている。
【課題を解決するための手段】
【０００７】
本考案の商品陳列棚（第１の考案）は、背板の幅方向の両端に一対の側板が連結された棚本体と、該棚本体に取り付けられ、かつ該棚本体の内部空間のうち、下部空間を除く部分に配置されて商品を陳列する複数段の棚板とを備えた商品陳列棚において、前記一対の側板は、少なくとも下端から最上段の前記棚板の取り付け位置までの幅が一定で、前記複数段の棚板は、全ての上面サイズが同一で、前記下部空間には、少なくとも底部が前記一対の側板より前方へ突出する転倒防止体を着脱自在に嵌入したことを特徴とする商品陳列棚である。
【０００８】
また、本考案の商品陳列棚（第２の考案）は、前記転倒防止体を、前面が法面となった折り畳み式のボックスとした商品陳列棚である。
また、本考案の商品陳列棚（第３の考案）は、前記棚本体と前記複数段の棚板と前記転倒防止体とを、段ボールからなるものとした商品陳列棚である。
また、本考案の商品陳列棚（第４の考案）は、前記背板の上端部に、広告表示板を着脱自在に装着した商品陳列棚である。
また、本考案の商品陳列棚（第５の考案）は、棚本体として、前記複数段の棚板のうち、少なくとも一つの棚板を含む上部が、前記棚本体の残り部分に着脱自在に構成されたものを採用した商品陳列棚商品陳列棚である。
また、本考案の商品陳列棚（第６の考案）は、前記複数段の棚板が、前記棚本体に着脱自在に取り付けられた商品陳列棚である。
また、本考案の商品陳列棚（第７の考案）は、転倒防止体が少なくとも後面が開口したボックスであり、棚本体の背板に係る前記転倒防止体の開口部に相対する部分が開口しているか、または該部分を開閉可能に構成したことにより、転倒防止体の内部へ備品の出し入れを可能とする備品収納部を備える商品陳列棚です。
【０００９】
材質
棚本体と複数段の棚板と転倒防止体の素材は任意である。例えば、段ボールなどの各種の紙、ＡＢＳ樹脂などの各種のプラスチック、ステンレス、アルミニウム合金などの各種の金属、杉、檜、松などの各種の木を採用することができる。これらの部材は、互いに同一素材であっても、別素材でもよい。この中でも、商品陳列棚の軽量化および低コスト化の観点から、段ボールが好ましい。
棚本体
棚本体は、縦長または横長の何れでもよい。ただし、縦長のものの方が本考案の特徴が顕著となる。
背板の右側と左側とに配置される一対の側板は、通常、形状が同一の板材である。
一対の側板は「少なくとも下端から最上段の棚板の取り付け位置までの幅が一定」である。よって、例えば、左右の側板が高さ方向の全長にわたり均一幅であったり、最上段の棚板より上方の部分のみが上方へ向かうほど徐々に先細り化するなどの幅が異なるものであっても良い。
棚板の数は、２つ、３つまたはそれ以上でもよい。
「棚本体の内部空間の下部空間」とは、この内部空間を高さ方向に上部、中央部、下部に分けたときの下部をいう。
棚本体の上部と棚本体の残りの部分が着脱自在に構成したとき、棚本体の上部には、少なくとも１つ以上の棚板を含む。棚本体の上部の棚板の数は任意であり、１つまたは２つ以上である。例えば、棚本体の残り部分の棚板の数が３つである場合、１〜３つの棚板を有する棚本体の上部を用意することにより、容易に棚数が４〜６つの商品陳列棚を提供することができる。また、棚本体の上部を外すことにより、棚数が３つの商品陳列棚を提供することができる。
【００１０】
棚本体の上部を棚本体の残り部分に着脱自在に構成した場合において、棚本体の上部を残り部分に着脱自在に取り付ける方法は任意である。例えば、棚本体の上部の下端に形成した突出板片を、残り部分の上端に形成した掛止孔に差し込む差し込み方法を採用することができる。その他、面ファスナなどの掛止具を用いた方法を採用してもよい。
棚本体に着脱自在に取り付けられる棚板は、商品陳列棚にある棚板の一部のみが着脱自在でもよいし、全部が着脱自在でもよい。
棚本体に複数段の棚板を着脱自在に取り付ける方法は任意である。例えば、ビス止め、フック止め、内フランジ止めなどを採用することができる。
【００１１】
商品としては、例えばレトルト食品、サプリメント剤のパウチパックなどを採用することができる。
各棚板での商品の陳列数は任意であり、１つまたは２つ以上である。棚板の上面サイズ、商品の大きさや重さなどにより左右されるので、一概に規定することはできない。
【００１２】
転倒防止体
転倒防止体とは、これを下部空間に嵌入して棚本体と一体化することで、商品陳列棚が設置される床面上での、転倒防止体を含む見かけ上の棚本体の載置面積（棚本体により覆われる床面部分の面積）を拡大し、棚本体の設置安定性を高め、商品陳列棚の転倒を防止する部材である。棚本体として、一対の側板として、少なくとも下端から最上段の棚板の取り付け位置までの幅が一定のものを採用したことで商品陳列棚は転倒し易くなっているが、転倒防止体によってこれを防止する。
転倒防止体は、中実のブロックでも、内部が空洞のボックスでもよい。
転倒防止体は、折り畳み式のボックス形状とした方が、輸送に便利でコンパクトに収納することができる。
転倒防止体の形状は任意である。下部空間に嵌入可能な形状であれば、例えば立方体を含む直方体などでもよい。
ここでいう「嵌入」とは、棚本体の下部空間の形成部分に嵌め込まれて、棚本体と一体化することをいう。また、この「嵌入」とは、転倒防止体が棚本体の両側板のみに当接した状態でも、棚本体の両側板と最下段の棚板に当接した状態でもよい。
転倒防止体の底部とは、転倒防止体の接地部分をいう。
「少なくとも底部が一対の側板より前方へ突出する」とは、転倒防止体の高さ方向の全長のうち、接地部分またはそれ以上の部分が、棚本体の内部空間の外（前方）へ迫り出している状態をいう。突出の仕方は任意である。例えば、転倒防止体の全長にわたって突出しても、前面が法面となるように袴状に突出しても、底部のみが段差状に突出してもよい。突出部分（迫り出し部分）は、平面形状よりも、立体的形状であることが好ましい。
転倒防止体は、少なくとも後面が開口したボックスとすることにより、その内部を備品収納部として利用可能である。より詳しくは、少なくとも後面が開口したボックス状の転倒防止体を用い、さらに棚本体の背板であって、転倒防止体の開口部に相対する部分が開口しているか、または該部分を開閉可能に構成することにより、転倒防止体の内部を備品収納部とすることができる。開閉可能な構成は任意である。例えば、該部分の幅方向の両端を下端から高さ方向に切り込みを入れ、該部分を手前に引き出し可能とするものである。また、該部分の左右方向に中間部へ下端から高さ方向に切り込みを入れ、さらに、その切れ込みの頂点高さにおいて、幅方向へ切れ込みを入れることにより、Ｔ字に切れ込みを入れ、該部分を観音開き可能とするものである。
【００１３】
広告表示体
広告表示板とは、棚板に陳列される商品の情報、期間限定のキャンペーン、イベント企画、企業イメージなどを表示した板材である。
広告表示板の素材としては、上記棚本体などの素材として列記したもののうち、何れかを採用することができる。
広告表示板の形状は任意である。例えば、三角形または四角形以上の多角形が挙げられる。その他、円形状、楕円形状などでもよい。
棚本体の背板の上端部への広告表示板の装着方法は任意である。例えば、突出板片を背板の上端に形成した掛止孔に差し込む差し込み方法を採用することができる。その他、面ファスナなどの掛止具を利用した方法を採用してもよい。
【考案の効果】
【００１４】
本考案の商品陳列棚（第１の考案）によれば、棚本体として、少なくとも下端から最上段の棚板の取り付け位置までの幅が一定となる一対の側板を有した寸胴型のものを採用したため、全ての棚板の上面サイズを同一とし、商品の陳列面積を従来のものに比べて拡大することが可能となった。
また、このように棚本体を寸胴型としたことで商品陳列棚の重心が高くなり、転倒し易くなった。しかしながら、棚本体の下部空間に、少なくとも底部が一対の側板より前方へ突出した形状の転倒防止体を嵌入したことにより、これを嵌入しない場合に比べて、商品陳列棚が設置される床面上での、転倒防止体を含む見かけ上の棚本体の載置面積（棚本体により覆われる床面部分の面積）が拡大し、商品陳列棚の転倒を防止することができる。
【００１５】
また、本考案の商品陳列棚（第２の考案）によれば、転倒防止体を、前面が法面となった折り畳み式のボックスとしたため、コンパクトに収納することができるとともに、転倒防止体を直方体型のボックスとした場合に比べて、商品陳列棚の荷重を上方から受けても転倒防止体が崩れにくく、商品陳列棚のデザイン性も高めることができる。
【００１６】
また、本考案の商品陳列棚（第３の考案）によれば、棚本体と複数段の棚板と転倒防止体とを、段ボール製としたため、商品陳列棚の軽量化および低コスト化を図ることができる。
【００１７】
また、本考案の商品陳列棚（第４の考案）によれば、背板の上端部に広告表示板を着脱自在に装着したため、必要により商品の情報、期間限定のキャンペーン、イベント企画、企業イメージなどを表示することができる。また、外した場合、コンパクトになるので、商品陳列棚を搬送する際に便利である。
【００１８】
また、本考案の商品陳列棚（第５の考案）によれば、少なくとも一つの棚板を含む棚本体の上部を、棚本体の残り部分に着脱自在に設けたため、棚数の異なる棚本体の上部を用意することにより、容易に棚数が異なる商品陳列棚を提供することが可能となる。また、棚本体の上部を必要により取り外すことで、棚本体の残り部分に係る最上段の棚板に、高さが高い商品を支障なく陳列することができる。
【００１９】
また、本考案の商品陳列棚（第６の考案）によれば、複数段の棚板を棚本体に着脱自在としたため、任意の棚板を必要により取り外すことで、それより１段下の棚板に、高さが高い商品を支障なく陳列することができる。また、外した場合、コンパクトになるので、商品陳列棚を搬送する際に便利である。
【００２０】
また、本考案の商品陳列棚（第７の考案）によれば、備品収納部を設けることにより、商品陳列棚の後部より、備品（棚板に付けて用いる商品説明板など）を出し入れ可能とし、収納することができるため、備品の整理に便利である。
【図面の簡単な説明】
【００２１】
【図１】本考案の実施例１に係る商品陳列棚の使用状態の斜視図である。
【図２】本考案の実施例１に係る商品陳列棚の一部である転倒防止体の斜視図である。
【図３】本考案の実施例２に係る商品陳列棚の使用状態の斜視図である。
【図４】本考案の実施例３に係る商品陳列棚の一部である棚板の展開図である。
【図５】本考案の実施例３に係る商品陳列棚の使用状態の斜視図である。
【考案を実施するための形態】
【００２２】
以下、図１および図２を参照して、本考案の実施例１に係る商品陳列棚を説明する。ここで、説明の都合上、文章中の前後方向（長さ方向）、左右方向（幅方向）および上下方向（高さ方向）は、図１に示された商品陳列棚の使用状態の斜視図における方向をいう。
【実施例】
【００２３】
図１において、１０は本考案の実施例１に係る商品陳列棚である。この商品陳列棚１０は、背板１１の左右向（幅方向）の両端に一対の側板１２，１３が連結された棚本体１４と、棚本体１４に取り付けられ、かつ棚本体１４の内部空間ａのうち、下部空間ｂを除く部分に配置されて商品１５を陳列する上下４段の棚板１６と、棚本体１４の下部空間ｂに着脱自在に嵌入され、かつ少なくとも底部が一対の側板１２，１３より前方へ突出した転倒防止体１７と、背板１１の上端部に着脱自在に装着された広告表示板１８とを備えたものである。
【００２４】
以下、図１および図２を参照して、これらの構成体を具体的に説明する。
背板１１は、縦長な正面視して矩形状の段ボールからなる板材である。
一対の側板１２，１３は、下端から最上段の棚板１６の取り付け位置までの幅が一定で、かつそれより上方の部分が、上方へ向かうほど徐々に幅狭となるように、それぞれの前側部分が傾斜カットされた段ボール製の板材である。このように、背板１１の左右両側に一対の側板１２，１３を連結することで、前面、上面および下面が開口した棚本体１４が組み立てられる。
【００２５】
ここでの商品１５は、紙製の幅狭な矩形箱に包装されたレトルトパックである。商品１５は、各段の棚板１６に左右２列に並べられる。
上下４段の棚板１６は、平面視して左右方向へ長い矩形状の段ボールからなるトレイである。各棚板１６の上面サイズは同一で、最下段の棚板１６は、転倒防止体１７を嵌入する前記下部空間ｂの境界ラインの直上に配されている。
転倒防止体１７は、略四角錐台のボックスである（図１および図２）。転倒防止体１７には、その上板１７ａの前後方向の中間部に、上板１７ａの前辺および後辺と平行な折り目が形成されている。また、転倒防止体１７の左側板１７ｂおよび右側板１７ｃには、その前後方向の中間部に後辺と平行な折り目がそれぞれ形成されている。このうち、上板１７ａは折り目を中心にしてＶ字形状に内折りされ、左側板１７ｂおよび右側板１７ｃは折り目を中心にしてＶ字形状に外折りされている。
【００２６】
転倒防止体１７の前板１７ｄは、前面が法面となるように、垂直面を基準として下方へ向かって末広がりに傾斜する。この垂直面より外方向へ広がった部分が、転倒防止体１７を棚本体１４の下部空間ｂに嵌入したとき、棚本体１４から迫り出す。棚本体１４は、転倒防止体１７を使用することで、迫り出し部分の下面の面積分だけ、商品陳列棚が設置される床面上での、転倒防止体を含む見かけ上の棚本体の載置面積（棚本体により覆われる床面部分の面積）を拡大する。
広告表示板１８は、正面視して矩形状の段ボールからなる板材で、下端の両端部には、一対の突出板片１９が形成されている。両突出板片１９を挿入する掛止孔１１ａが、背板１１の上端の幅方向の両端部に形成されている。両突出板片１９は、図１の矢印方向に向かって、両掛止孔１１ａを通して厚肉な段ボール板からなる背板１１の内部に挿入される。
【００２７】
次に、図１および図２を参照して、実施例１の商品陳列棚１０の使用方法を説明する。
まず、商品陳列棚１０を組み立てる。具体的には、転倒防止体１７を棚本体１４の下部空間ｂに嵌入する。このとき、転倒防止体１７の外折りされた両側板１７ｂ，１７ｃが真っ直ぐに延びながら下部空間ｂに図１の矢印方向に向かって押し込まれる。しかしながら、両側板１７ｂ，１７ｃは下部空間ｂに押し込まれても元の状態に戻ろうとするため、これらの両側板１７ｂ，１７ｃが、棚本体１４の右側板１２と左側板１３の各内面に付勢状態で押し当てられる。その結果、転倒防止体１７が棚本体１４の下部空間ｂから抜け難くなる。また、転倒防止体と棚本体は、例えば、プラスチックビス等で、ビス止めすることもできる。具体的には、転倒防止体の両側板１７ｂ、１７ｃおよび／または後板（図示せず）を棚本体１４にプラスチックビスで、ビス止めすることもできる。その結果、転倒防止体１７が棚本体１４の下部空間ｂから抜け難くなる。
【００２８】
このように、棚本体１４として、下端から最上段の棚板１６の取り付け位置までの幅が一定となる一対の側板１２，１３を有した寸胴型のものを採用したため、全ての棚板１６の上面サイズを同一とし、商品１５の陳列面積を従来のものに比べて拡大することができる。
また、棚本体１４を寸胴型としたことで商品陳列棚１０の重心が高くなり、転倒し易くなったが、棚本体１４の下部空間ｂに、前面が法面でかつ底部が一対の側板１２，１３より前方へ突出した袴形状の転倒防止体１７を嵌入したため、これを嵌入しない場合に比べて、商品陳列棚が設置される床面上での、転倒防止体を含む見かけ上の棚本体の載置面積（棚本体により覆われる床面部分の面積）を拡大し、商品陳列棚１０の転倒を防止することができる。
【００２９】
さらに、転倒防止体１７として、前面が法面となった折り畳み式のボックスを採用したため、コンパクトに収納することができるとともに、転倒防止体１７を直方体型のボックスとした場合に比べて、商品陳列棚１０の荷重を上方から受けても転倒防止体１７が崩れにくく、商品陳列棚１０のデザイン性も高めることができる。
さらにまた、背板１１の上端部に広告表示板１８を着脱自在に装着したため、必要により商品１５の情報、期間限定のキャンペーン、イベント企画、企業イメージなどを表示することができる。
また、棚本体１４と上下４段の棚板１６と転倒防止体１７とを段ボール製としたため、商品陳列棚１０の軽量化および低コスト化を図ることができる。
【００３０】
次に、図３を参照して、この考案の実施例２に係る商品陳列棚１０Ａを説明する。
図３に示すように、この考案の実施例２に係る商品陳列棚１０Ａの特徴は、最上段の棚板１６Ａを含む棚本体の上部１４Ａを、棚本体の残り部分１４Ｂに着脱自在に設けた点である。
棚本体の上部１４Ａは、背板の上部１１Ａと、両側板の上部１２Ａ，１３Ａとから構成される。棚本体の残り部分１４Ｂは、背板の残り部分１１Ｂと、両側板の残り部分１２Ｂ，１３Ｂとから構成される。
【００３１】
両側板の上部１２Ａ，１３Ａの下端の中央部には、一対の突出板片１９Ａを形成している。また、両側板の残り部１２Ｂ，１３Ｂの上端の中央部には、両突出板片１９Ａを挿入する掛止孔１２ａ，１３ａを形成している。両突出板片１９Ａは、掛止孔１２ａ，１３ａを通して厚肉な段ボール板からなる両側板の残り部１２Ｂ，１３Ｂの上端部内に挿入される。
このように構成したため、棚数の異なる棚本体の上部を用意することにより、容易に棚数が異なる商品陳列棚を提供することが可能となる。また、棚本体の上部１４Ａを必要により取り外して、最上段より１段下の棚板１６Ａ（棚本体の残り部分に係る最上段の棚板）に、高さが高い商品１５Ａを支障なく陳列することができる。
その他の構成、作用および効果は、実施例１と同様であるため、説明を省略する。
【００３２】
次に、図４および図５を参照して、この考案の実施例３に係る商品陳列棚１０Ｂを説明する。
図４および図５に示すように、この考案の実施例３に係る商品陳列棚１０Ｂの特徴は、全ての棚板１６Ｂを組み立て式とし、かつビスＢにより棚本体１４に着脱自在に取り付けた例である。
棚板１６Ｂは、平面視して左右方向へ長い矩形状の底板２０と、内前板２１ａおよび外前板２１ｂと、内後板２２ａおよび外後板２２ｂと、内左側板２３ａおよび外左側板２３ｂと、内右側板２４ａおよび外右側板２４ｂとを主体とする。さらに、内左側板２３ａおよび外左側板２３ｂの各長さ方向の両端と、内右側板２４ａおよび外右側板２４ｂの各長さ方向の両端とには、それぞれ対応する左右の側板２２，２３の内部に折り込まれる補強板片２５が折り目を介して連結されている。
【００３３】
このうち、内前板２１ａ、内後板２１ｂ、内左側板２３ａおよび内右側板２４ａは、底板２０の対応する四辺を中心にして、それぞれ内折りされる。また、外前板２１ｂ、外後板２２ｂ、外左側板２３ｂおよび外右側板２４ｂは、内前板２１ａ、内後板２１ｂ、内左側板２３ａおよび内右側板２４ａに対して内折りされる。これにより、棚板１６Ｂの前板２１、後板２２、左側板２３および右側板２４は、それぞれ２枚重ねの板となる。前記各補強板片２５は、二枚重ねとなった内外の左側板２３ａ，２３ｂおよび内外の右側板２４ａ，２４ｂの内側に挿入される。
【００３４】
このように、４段の棚板１６Ｂを棚本体１４に着脱自在としたため、その棚板１６Ｂを必要により取り外すことで、取り外したものより１段下の棚板１６Ｂに、高さが高い商品１５Ａを支障なく陳列することができる（図５）。
なお、一対の側板１２，１３を背板１１に着脱自在にビス止めすれば、棚本体１４の分解が可能となり、何れも棚本体１４に対して着脱自在となった構造の各棚板１６Ｂ、転倒防止体１７および広告表示板１８も合わせて、商品陳列棚１０Ｂの運搬が容易となる。
その他の構成、作用および効果は、実施例１と同様であるため、説明を省略する。
【産業上の利用可能性】
【００３５】
本考案は、例えばレトルト食品、サプリメント剤のパウチパックなどの商品陳列棚として有用である。
【符号の説明】
【００３６】
１０，１０Ａ，１０Ｂ  商品陳列棚
１１  背板
１１Ａ  背板の上部
１１Ｂ  背板の残り部分
１１ａ，１２ａ，１３ａ  掛止孔
１２，１３  側板
１２Ａ，１３Ａ  側板の上部
１２Ｂ，１３Ｂ  側板の残り部分
１４  棚本体
１４Ａ  棚本体の上部
１４Ｂ  棚本体の残り部分
１５，１５Ａ  商品
１６，１６Ｂ  棚板
１６Ａ  最上段の棚板
１７  転倒防止体
１７ａ  上板
１７ｂ  左側板
１７ｃ  右側板
１７ｄ  前板
１８  広告表示板
１９，１９Ａ  突出板片
２０  底板
２１  前板
２１ａ  内前板
２１ｂ  外前板
２２  後板
２２ａ  内後板
２２ｂ  外後板
２３  左側板
２３ａ  内左側板
２３ｂ  外左側板
２４  右側板
２４ａ  内右側板
２４ｂ  外右側板
２５  補強板片
ａ  内部空間
ｂ  下部空間
Ｂ  ビス
【図１】
0003170045.tif 000003
【図２】
0003170045.tif 000004
【図３】
0003170045.tif 000005
【図４】
0003170045.tif 000006
【図５】
0003170045.tif 000007